(57)【特許請求の範囲】
【請求項１】
二つ折りされて下端部が閉塞され、前部分（２）と後部分（３）とからなるファイル本体（１）の内部に書類を出し入れ自在としたファイルにおいて、
前記ファイル本体（１）のベースの材料を透明ないし半透明のポリプロピレンとし、
前記ファイル本体（１）の内面側であって該ファイル本体（１）の後部分（３）のベースの表面の全面にわたって高級感や豪華さを醸し出すためのシート状の素材を貼合し、
前記シート状の素材を、金色や銀色のアルミ箔、フィルム蒸着品、蒸着・転写フィルム・ホログラムフィルム・オーロラフィルム、レーヨン紙・和紙のいずれかとしていることを特徴とするファイル。
【発明の詳細な説明】
【技術分野】
【０００１】
本発明は、材料をポリプロピレンや紙材として、上縁と右縁が開口されて内部に書類等を収納するファイルに関するものである。
【背景技術】
【０００２】
図１３は従来より市販されているファイル本体５１を示し、このファイル本体５１の材料を透明ないし半透明なポリプロピレンで構成されている。図１３（ａ）はファイル本体５１の表面を、（ｂ）はファイル本体５１の裏面をそれぞれ示している。このファイル本体５１は周知のように上縁と右縁とが開口されていて、ファイル本体１内に書類を入れて使用されるものである。
ファイル本体５１の下部は、材料を二つ折りした後で下部を閉塞すべく高周波にて溶着した溶着部５２が形成されている。また、右側の上部には半円状の切欠部５３が切欠き形成されており、この切欠部５３の部分に指を当ててファイル本体５１を開いて内部の書類を入れるようになっている。
【０００３】
しかしながら、図１３に示すような従来のこの種のファイル本体５１は、コストのみを追求しているために、安っぽくなって高級感や豪華さが全く感じられないという問題がある。そこで、ファイル本体５１に高級感を持たせるようにしたものとして、例えば、下記に示す特許文献１が挙げられる。
【０００４】
【特許文献１】実用新案登録第３１３８８７１号
【０００５】
この特許文献１では、書類を出し入れ自在としたファイル本体の材料を紙材で構成し、紙材の色彩を黒色として高級感を出したものである。しかしながら、この特許文献１に開示されているファイル本体においては、無地または印刷のみで製作されたものであり、図１３の場合と同様に高級感や豪華さが表現されておらず、やはり安っぽさが目についてしまうという問題がある。
【発明の開示】
【発明が解決しようとする課題】
【０００６】
本発明は上述の問題点に鑑みて提供したものであって、見た目に高級感や豪華さを持たせることを目的としたファイルを提供するものである。
【課題を解決するための手段】
【０００７】
そこで、本発明の請求項１に記載のファイルでは、二つ折りされて下端部が閉塞され、前部分２と後部分３とからなるファイル本体１の内部に書類を出し入れ自在としたファイルにおいて、
前記ファイル本体１のベースの材料を透明ないし半透明のポリプロピレンとし、
前記ファイル本体１の内面側であって該ファイル本体１の後部分３のベースの表面の全面にわたって高級感や豪華さを醸し出すためのシート状の素材を貼合し、
前記シート状の素材を、金色や銀色のアルミ箔、フィルム蒸着品、蒸着・転写フィルム・ホログラムフィルム・オーロラフィルム、レーヨン紙・和紙のいずれかとしていることを特徴としている。
【発明の効果】
【０００８】
本発明の請求項１に記載のファイルによれば、ファイル本体１のベースの材料を透明ないし半透明のポリプロピレンとし、前記ファイル本体１の内面側であって該ファイル本体１の後部分３のベースの表面の全面にわたって高級感や豪華さを醸し出すためのシート状の素材を貼合し、前記シート状の素材を、金色や銀色のアルミ箔、フィルム蒸着品、蒸着・転写フィルム・ホログラムフィルム・オーロラフィルム、レーヨン紙・和紙のいずれかとしているので、ファイル本体１にメタリック調や他の種々の色彩やデザインを付与できて、ファイル本体１に一層高級感や豪華さを持たせることができる。
【発明を実施するための最良の形態】
【０００９】
以下、本発明の実施の形態を図面を参照して詳細に説明する。図１は本発明のファイル本体１の平面図を示しており、このファイル本体１のベースとなる素材は、透明ないし半透明なポリプロピレンで形成されており、１枚の素材を二つ折りした際に、前側となる前部分２と、後側となる後部分３との間に書類を収納するようにしている。そして、ファイル本体１の下部は、前部分２と後部分３とを接着または高周波溶着した固着部４として、ファイル本体１の上縁と右縁とを開放して、この開放部分から書類を出し入れ自在としている。
【００１０】
そして、ファイル本体１の前部分２は、後部分３に対して大きさを小さくしている。すなわち、ファイル本体１の前部分２の上縁５と右縁６を、後部分３の上縁１０と右縁１１に対して略全長にわたって内側に位置するように形成している。この後部分３の上縁１０と右縁１１に対して、前部分２の上縁５と右縁６を２ｍｍから１０ｍｍ程度内側に位置させている。
この寸法を２ｍｍから１ｍｍ単位で１０ｍｍまでそれぞれ異なる寸法で前部分２の大きさを設定するようにしているが、試行錯誤の結果では、２ｍｍが好適例である。
【００１１】
このようにしてファイル本体１の前部分２を後部分３より小さく形成することで、後部分３の上縁１０と右縁１１とが、前部分２の上縁５と右縁６より外側に位置することになり、そのため、後部分３の上縁１０と右縁１１とが略全長にわたって露出していることになる。そして、この後部分３の露出している部分が指の引っ掛かりとなり、ファイル本体１を開け易くしている。
これにより、ファイル本体１の上縁と右縁とのいずれを指で当てても、後部分３の上縁１０や右縁１１に指が当たり、後部分３を開けることで、ファイル本体１を容易に開けることができる。
【００１２】
図１に示す例では、ファイル本体１の前部分２の右縁６の上部に従来と同様な切欠部１６を設けているが、図２に示すように、この切欠部１６を無くして、右縁６を直線状に形成するようにしても良い。
【００１３】
図３は本発明の要旨を説明するために、ファイル本体１の前部分２と後部分３とを左右に開いた状態を示し、ファイル本体１の後部分３の表面（ファイル本体１の内面側）にシート２１を貼合したものである。
この図３に示す例では、後部分３の表面の全面にわたってシート２１を貼合した場合を示している。このシート２１の素材としては、金色や銀色のアルミ箔、フィルム蒸着品、蒸着・転写フィルム・ホログラムフィルム・オーロラフィルム、レーヨン紙・和紙のいずれかを用いている。
【００１４】
図３の例では、シート２１の素材を金色あるいは銀色のメタリック調とした場合であり、前部分２は透明ないし半透明のポリプロピレンの材料である。ファイル本体１を見た場合、従来のように単に透明ないし半透明ではなく、後部分３の表面に貼合したシート２１が金色あるいは銀色のメタリック調となっているので、高級感や豪華さをファイル本体１に持たせることができる。
【００１５】
なお、図３ではシート２１をファイル本体１の後部分３の表面だけ貼合した場合を示しているが、前部分２の表面（ファイル本体１の内面側）にもシート２１を貼合し、ファイル本体１の内面の全面にわたってシート２１を貼合するようにしても良い。また、ファイル本体１の外面の全面にわたってシート２１を貼合するようにしても良く、図３の場合とは逆にファイル本体１の前部分２の内面のみシート２１を貼合するようにしても良い。
【００１６】
図３の場合では、シート２１をファイル本体１の後部分３の表面の全面にわたって貼合していたが、図４に示すように、後部分３の右縁１１の近傍の部分だけ少し残してシート２１を後部分３に貼合するようにしても良い。
【００１７】
また、図５は、ファイル本体１の後部分３の表面にシート２１をストライプ状に３本貼合した場合を示し、図６はシート２１をストライプ状に２本貼合した場合を示している。このストライプ状のシート２１の本数は、もちろん、任意に設定することができるものの、見た目に高級感や豪華さを与えるためには、２本〜１０本程度の本数が好適例である。
【００１８】
また、図４〜図６に示す例に限らず、ストライプ状のシート２１は、前部分２の表面（内面）や、ファイル本体１の外面にも適宜貼合するようにしても良く、任意の組み合わせが可能である。
【００１９】
このように本実施形態では、ファイル本体１の後部分３の表面（内面側）に金色あるいは銀色のメタリック調のシート２１を貼合していることで、ファイル本体１自体に高級感や豪華さを持たせることができる。また、金色あるいは銀色のメタリック調以外の素材のシート２１の場合でも同様にファイル本体１に種々のデザインを付与できて、ファイル本体１に一層高級感や豪華さを持たせることができる。
また、シート２１をストライプ状にして２本〜１０本の間の任意の本数をファイル本体１の後部分３の表面（内面側）に貼合することで、高級感や豪華さに加えて意匠的な効果も発揮させることができる。
【００２０】
また、シート２１を後部分３の内面以外に貼合したり、後部分３の内面部分も含めて後部分３の外面や前部分２の内面、外面等の任意の組み合わせでシート２１を貼合した場合でも、ファイル本体１に高級感や豪華さを持たせることができる。
【００２１】
なお、上記シート２１のファイル本体１への貼合方法は、平判貼合、巻き取り下降のどちらでも可能であり、容易にシート２１をファイル本体１に貼合することができる。
【００２２】
（参考例）
図７に参考例を示す。本参考例ではファイル本体１のベースの素材を紙材とし、その素材の片面（ファイル本体１の内面側）、または両面に生分解性フィルム３０を貼合したものである。なお、ベースの紙材の坪量は１００ｇ／ｍ2 〜２００ｇ／ｍ2 とし、生分解性フィルム３０の厚みは、２５μｍ〜１００μｍとしている。
また、上記生分解性フィルム３０に任意の色彩を着色させたものを用いることで、ファイル本体１に高級感や豪華さを持たせることができる。
【００２３】
このように本参考例では、ファイル本体１のベースの素材を紙材として、この紙材の片面または両面に貼合している素材を生分解性フィルム３０としていることで、使用後にファイル本体１を廃棄する場合でも土中に埋めても、ファイル本体１が土に返るものであり、環境に良い。
【００２４】
上記の実施形態や参考例でのファイル本体１は、前部分２の上縁５及び右縁６が後部分３の上縁１０及び右縁１１より内側に位置した場合について説明したが、図８に示すファイル本体１の場合にも本発明（ファイル本体１へのシート２１の貼合や生分解性フィルム３０の貼合）を適用することができる。
すなわち、図８では、図１に示すファイル本体１に対して前部分２の上縁５だけを、後部分３の上縁１０に対して内側に位置させて、前部分２の右縁６は後部分３の右縁１１と同じ位置にさせた場合である。つまり、ファイル本体１の上部だけ後部分３を露出させているものである。そして、この後部分３の上部を指の引っ掛かり部分としている。
【００２５】
図９では、ファイル本体１の前部分２の右縁６だけを、後部分３の右縁１１に対して内側に位置させて、前部分２の上縁５は後部分３の上縁１０と同じ位置にさせた場合である。つまり、ファイル本体１の右側だけ後部分３を露出させている。そして、この後部分３の右側を指の引っ掛かり部分としている。
上記図８及び図９はファイル本体１の前部分２の切欠部１６を設けた場合であり、図１０及び図１１は該切欠部１６を設けていない場合を示し、図１０は図８に対応し、図１１は図９に対応したファイル本体１を示している。
【００２６】
図８〜図１１に示すタイプのファイル本体１に対してもシート２１や生分解性フィルム３０を貼合して、同様に高級感や豪華さをファイル本体１に持たせるようにしている。
【００２７】
図１２は従来の図１３に対応したファイル本体１であり、このファイル本体１の片面または両面にシート２１を貼合して高級感や豪華さをファイル本体１に持たせるようにしても良い。
【図面の簡単な説明】
【００２８】
【図１】本発明の実施の形態におけるファイル本体の平面図である。
【図２】本発明の実施の形態における切欠部を設けていないファイル本体の平面図である。
【図３】本発明の実施の形態におけるファイル本体を左右に開けた場合の説明図である。
【図４】本発明の実施の形態におけるファイル本体を左右に開けた場合の説明図である。
【図５】本発明の実施の形態におけるファイル本体を左右に開けた場合の説明図である。
【図６】本発明の実施の形態におけるファイル本体を左右に開けた場合の説明図である。
【図７】本発明の参考例におけるファイル本体を左右に開けた場合の説明図である。
【図８】本発明の参考例における他の形状のファイル本体の平面図である。
【図９】本発明の参考例における他の形状のファイル本体の平面図である。
【図１０】本発明の参考例における他の形状のファイル本体の平面図である。
【図１１】本発明の参考例における他の形状のファイル本体の平面図である。
【図１２】本発明の参考例におけるファイル本体の平面図である。
【図１３】（ａ）（ｂ）は従来例のファイル本体の平面図及び裏面図である。
【符号の説明】
【００２９】
１  ファイル本体
２  前部分
３  後部分
２１  シート
【図１】
0004685134.tif 000002
【図２】
0004685134.tif 000003
【図３】
0004685134.tif 000004
【図４】
0004685134.tif 000005
【図５】
0004685134.tif 000006
【図６】
0004685134.tif 000007
【図７】
0004685134.tif 000008
【図８】
0004685134.tif 000009
【図９】
0004685134.tif 000010
【図１０】
0004685134.tif 000011
【図１１】
0004685134.tif 000012
【図１２】
0004685134.tif 000013
【図１３】
0004685134.tif 000014